(57)【要約】      （修正有）【課題】  製品の流通形態や使用条件にあわせた柔軟なタグの使用を可能とする。【解決手段】切り離し可能なＡ１部分、Ａ２部分と、非切り離し部分Ｂ（タグ本体）の３つの部分から構成され、Ａ１部分、Ａ２部分、及びＢ部分は、それぞれＩＣ１（１０）、ＩＣ２（２０）、及びＩＣ３（３０）と、外部とのインタフェースとしての、アンテナ１、アンテナ２、及びアンテナ３を備えている。そしてＩＣ１とＩＣ２は信号線路Ｌ１が、ＩＣ２とＩＣ３は信号線路Ｌ２が繋いでいる。信号線路Ｌ１はＡ１部分がタグ本体（Ａ２＋Ｂ）から、信号線路Ｌ２はＡ２部分がタグ本体Ｂから切り離された場合に切断される。さらに、Ａ１部分の配線Ｓ１〜Ｓ４は、ＩＣ１から出て電源線に接続され、経路の途中に設けられた少なくとも１本の切込み線Ｃ１〜Ｃ４は、人間の力で容易に切断できる程度の切込みが形成されており、切断すると配線Ｓ１からＳ４までのいずれかとの接続が遮断される。【選択図】  図１
2006119863.tif 000002
【特許請求の範囲】
【請求項１】
Ａ１からＡｎのｎ（ｎは、ｎ≧１の自然数）箇所の切り離し可能部分と、Ａ１からＡｎの切り離し可能部分以外の部分Ｂと、から構成され、各切り離し可能部分Ａｋ（ｋは、１≦ｋ≦ｎの自然数）にそれぞれＩＣｋが、Ｂの部分にＩＣｎ＋１が設けられており、前記ＩＣｋとＩＣｋ＋１を結ぶ、Ａｋが切離された場合に切断される信号線路Ｌｋを備え、前記切り離し可能部分を、Ａ１からＡｎへと順番に切り離す毎に、タグの機能が第１の機能から順次第ｎ＋１の機能まで変化するＩＣタグにおいて、
該ＩＣタグの初期設定を行う少なくとも１の切込み線を備えていることを特徴とするＩＣタグ。
【請求項２】
Ａ１からＡｎのｎ（ｎは、ｎ≧１の自然数）箇所の切り離し可能部分と、前記Ａ１からＡｎの切り離し可能部分以外の部分Ｂと、から構成され、各切り離し可能部分Ａｋ（ｋは、１≦ｋ≦ｎの自然数）にそれぞれＩＣｋが、Ｂの部分にＩＣｎ＋１が設けられており、前記ＩＣｋとＩＣｋ＋１を結ぶ、Ａｋが切離された場合に切断される信号線路Ｌｋを備え、前記切り離し可能部分を、Ａ１からＡｎへと順番に切り離す毎に、タグの機能が第１の機能から順次第ｎ＋１の機能まで変化するＩＣタグにおいて、
該ＩＣタグの種別又は動作モードに関する初期設定を行う少なくとも１の切込み線を備えていることを特徴とするＩＣタグ。
【請求項３】
前記切込み線は、前記部分Ａ１に複数本設けられており、そのうちのいずれを切り込むかにより異なる初期設定が成されること特徴とする請求項１に記載のＩＣタグ。
【請求項４】
さらにタイマ手段を有しており、前記複数本の切込み線の切込み順序に応じて前記初期設定が異なるように制御されることを特徴とする請求項３に記載のＩＣタグ。
【請求項５】
前記複数本の切込み線のいずれに切込みがなされたかを検出する切込み検出機能を有することを特徴とする請求項３又は４に記載のＩＣタグ。
【請求項６】
前記検出機能により検出された切込み線の切断箇所にそれぞれ対応する初期設定プログラムを格納する記憶装置を備えることを特徴とする請求項２から５までのいずれか１項に記載のＩＣタグ。
【請求項７】
前記部分Ａ１の切り離しに応じて、前記初期設定プログラムによる処理が行われることを特徴とする請求項６に記載のＩＣタグ。
【請求項８】
前記ＩＣｋが、それぞれ第ｋの機能を司り、前記ＩＣｎ＋１が、第ｎ＋１の機能を司ることを特徴とする請求項１から７までのいずれか１項に記載のＩＣタグ。
【請求項９】
前記ＩＣｋと前記ＩＣｋ＋１からＩＣｎ＋１の少なくとも１つが、第ｋの機能を実現する為の役割を分担すること特徴とする請求項８に記載のＩＣタグ。
【請求項１０】
前記ＩＣｋとＩＣｋ＋１が、第ｋの機能を実現する機能を分担すること特徴とする請求項９記載のＩＣタグ。
【請求項１１】
少なくともＩＣｋを含む、ＩＣ１からＩＣｋのＩＣが、第ｋ＋１の機能の発現を抑制する機能を備えたことを特徴とする請求項８から１０までのいずれか１項に記載のＩＣタグ。
【請求項１２】
各切り離し可能部分Ａｋの部分に、それぞれ記憶装置Ｍｋを備え、
この記憶装置Ｍｋが、前記第１から第ｋの機能で得られたデータの内、少なくともその1つを格納する領域を備えたことを特徴とする請求項８から１１までのいずれか１項に記載のＩＣタグ。
【請求項１３】
前記記憶装置Ｍｋが、第ｋの機能で得られたデータを格納する領域を備えたことを特徴とする請求項１２記載のＩＣタグ。
【請求項１４】
前記記憶装置Ｍｋ＋１が、前記第１から第ｋの機能で得られたデータを格納する領域を備えたことを特徴とする請求項１２又は１３に記載のＩＣタグ。
【請求項１５】
ＩＣｋ＋１からＩＣｎ＋１は、前記Ａｋが切り離された場合、記憶装置Ｍｋ＋１からＭｎ＋１の前記第ｋの機能で得られたデータを格納する領域を読み取り専用とする装置を備えたことを特徴とする請求項１２から１４までのいずれか１項に記載のＩＣタグ。
【請求項１６】
タグ本体から切り離されたＡｋ部分が、外部との通信機能を維持し、ＩＣタグとして機能することを特徴とする請求項１２または１３に記載のＩＣタグ。
【請求項１７】
Ａｋ部分に、
線路Ｌｋの切断を検出するＬｋ切断検出装置と、信号線路Ｌｋの切断の有無の検出結果を、前記Ａｋの切り離し判定に用いるＡｋ切り離し判定装置と、を備え、データ改竄防止の為に、前記Ａｋ切り離し判定装置が、Ａｋがタグ本体から切り離されたと判定した場合に、少なくとも、記憶装置Ｍｋの第１から第ｋの機能で得られたデータに割り当てられたデータ格納領域を読み取り専用とする装置を備えたことを特徴とする請求項１６に記載のＩＣタグ。
【請求項１８】
前記Ａｋ部分のＬｋ切断検出装置が、ＩＣｋ＋１からの信号の有無を元に、信号線路Ｌｋの切り離しを検出すること特徴とする請求項１７記載のＩＣタグ。
【請求項１９】
前記ＡｋとＡｋ＋１の２つ領域に跨り、Ａｋ部分がタグから切り離された場合に切断される線路の、インピーダンスの変化を検出するインピーダンス変化検出装置を備え、
前記Ｌｋ切断検出装置と、インピーダンス変化検出装置の検出結果を用いて、Ａｋの切り離しを判定する請求項１７に記載のＩＣタグ。
【請求項２０】
前記Ａｋ＋１部分のＬｋ切断検出装置が、ＩＣｋからの信号の有無を元に、信号線路Ｌｋの切り離しを判定すること特徴とする請求項１から１９までのいずれか１項に記載のＩＣタグ。
【請求項２１】
前記Ａｋ＋１部分に、
前記ＡｋとＡｋ＋１の２つ領域に跨り、Ａｋ部分がタグから切り離された場合に切断される線路の、インピーダンスの変化を検出するインピーダンス変化検出装置を備え、
前記Ｌｋ切断検出装置と、インピーダンス変化検出装置の検出結果を用いて、Ａｋの切り離しを判定する請求項２０記載のＩＣタグ。
【発明の詳細な説明】
【技術分野】
【０００１】
本発明は、切り離しによる機能変更手段を備えたＩＣタグに関し、より詳細には、ＩＣタグの一部に上記切り離しとは異なる手作業による処理を行うことにより、切り離しとは独立にタグの機能を変更することができる手段を備えたＩＣタグに関する。
【背景技術】
【０００２】
近年、紙やプラスチック等の絶縁体基板上にアンテナとＩＣチップとを備えたＩＣタグと、ＩＣタグと通信を行なうリーダー／ライター装置と、により構成された、図８に示すような、商品流通・在庫管理、店舗での精算処理、及び盗難防止用システムが注目を集めている。
【０００３】
図８に示すように、システムで使用される代表的なＩＣタグとしては、リーダー／ライター装置とタグとの通信に電波を使用するＲＦ部と、変調／復調部と、データ記憶部と、を備えたＩＣとアンテナで構成された、非接触型のＩＣタグ（ＲＦＩＣタグ）がある。詳細な構成についての説明は省略する。図９は、紙やプラスチック等の絶縁体基板９０上に、コイルアンテナ２０１とＩＣチップ２１０とを積層して構成されたＲＦＩＣタグの構造の外観を示す。
【０００４】
【特許文献１】特開平９−６２９３４号公報
【発明の開示】
【発明が解決しようとする課題】
【０００５】
商品に貼付して使用するというタグの性質上、上記背景技術で説明したＲＦＩＣタグに代表されるＩＣタグは、小型軽量であることが求められる。このため、ＩＣタグに搭載されるＩＣの回路構成は、単純な構成とならざるを得ず、データ改竄防止用のハードウェアやソフトウェアをＩＣに搭載することが難しかった。このため、従来のＩＣタグには、データの改竄が容易であるという問題点が存在していた。また、簡単な構造でより高度な機能をもたせることができれば便利である。
【０００６】
本発明は、簡単な構造を維持しつつ、データの改竄を防止することができるタグシステムを提供することを目的とする。また、簡単な構造で高度な機能をもたせる技術を提供する。
【課題を解決するための手段】
【０００７】
本発明は、ＩＣタグに切り離し可能な部分を設け、この切り離し可能部分をタグ本体から切り離すことにより、ＩＣタグに対するデータ入力及びＩＣタグからのデータ出力に対する制限を変化させる構成を有している。これによりデータの改竄を防止することができる。ＩＣタグで行なう信号処理を変更或いは格納データの自動的な更新、変更等、ＩＣタグの機能の変更を、リーダー／ライター装置を用いず、商品の流通過程において例えば人の手等により自然に変更できるようにする。ＩＣタグの外観上の変化と、ＩＣタグの機能変化と、を連動させることにより、現在のＩＣタグの機能がいかなる状態にあるかに関して目視で把握できる。その上で、ＩＣタグの初期設定を行う手段を有することを特徴とする。初期設定手段は、例えばＩＣタグを使用する前に行う切込み線を入れる操作により行われる。
【発明の効果】
【０００８】
本発明のＩＣタグは、切り離し可能部分を切り離すことで機械を使わないＩＣタグの機能変更を容易に実現できる。また、切り離し可能部分を切り離すことで、ＩＣタグの外観を変化させ、ＲＦＩＣタグの状態を目視で把握できる。タグの切り離し状態に応じて、データの入出力制限を設けることにより、データの改竄に対するセキュリティを向上させることができる。
【０００９】
その上に、複数の種類のＩＣタグに対応でき、機能の変更にも対応でき、製品の流通形態や使用条件にあわせた柔軟な使用が可能となる切込み線が設けられており、これによりＩＣタグの初期設定が簡単にできる。
【発明を実施するための最良の形態】
【００１０】
以下に、本発明の実施の形態によるＩＣタグについて図面を参照しつつ説明を行う。図１は本発明の第１の実施の形態によるＩＣタグシステムの構成例を示す図である。図１に示すＩＣタグは、タグ本体Ｂからの切り離し可能部分の数ｎが、ｎ＝２の場合の切り離し可能部分を有するＩＣタグである。この切り離し可能部分を切り離すことでタグの機能が変化する。
【００１１】
図１に示すＩＣタグは、切り離し可能なＡ１部分、Ａ２部分と、非切り離し部分Ｂ（タグ本体）の３つの部分から構成され、Ａ１部分、Ａ２部分、及びＢ部分は、それぞれＩＣ１（１０）、ＩＣ２（２０）、及びＩＣ３（３０）と、タグと外部（タグとの間でデータのやり取りを行なうリーダ／ライター装置）とのインタフェースとしての、アンテナ１、アンテナ２、及びアンテナ３を備えている。
【００１２】
そしてＩＣ１（１０）とＩＣ２（２０）はＩＣ１（１０）とＩＣ２（２０）との間の信号伝送用の信号線路Ｌ１が、ＩＣ２（２０）とＩＣ３（３０）はＩＣ２（２０）とＩＣ３（３０）との間の信号伝送用の信号線路Ｌ２が、それぞれを繋いでいる。信号線路Ｌ１は、Ａ１部分がタグ本体（Ａ２＋Ｂ）から切り離された場合に、切断されるようなレイアウトで配線されており、同様に、信号線路Ｌ２も、Ａ２部分がタグ本体Ｂから切り離された場合、切断されるようなレイアウトで配線されている。尚、ＩＣ１（１０）、ＩＣ２（２０）、及びＩＣ３（３０）から、共通ＧＮＤ９１に接続されている線路ＳＬ１２、ＳＬ２１はＡ１部分が切り離された場合に、ＳＬ２３、ＳＬ３２はＡ２部分が切り離された場合に、それぞれ切断されるように、Ａ１部分とＡ２部分の切り離し境界線、或いはＡ２部分とＢ部分の切り離し境界線に跨るレイアウトで配線されている。線路ＳＬ１２、ＳＬ２１、ＳＬ２３、及びＳＬ３２は、線路切断によって発生する線路のインピーダンスの変化を検出し、Ａ１部分、或いはＡ２部分の切り離し判定に用いるために設けられた線路である。
【００１３】
さらに、Ａ１部分の配線Ｓ１、Ｓ２、Ｓ３、Ｓ４は、ＩＣ１（１０）から出て各々電源線に接続されており、ＩＣ（１０）から共通電源線に至る経路の途中に少なくとも１本の切込み線が、例えば配線Ｓ１、Ｓ２、Ｓ３、Ｓ４と交差するレイアウトで設けられている（図１では４本の切込み線がある間隔を開けて設けられている。）。切込み線Ｃ１〜Ｃ４は、人間の力で容易に切断できる程度の切込みが形成されており、切込み線を切断するとそれと交差する配線であって各々の配線Ｓ１からＳ４までのいずれかとの接続が遮断されるようになっている。図２では、切込み線Ｃ１は配線Ｓ１のみを、切込み線Ｃ２は配線Ｓ１及びＳ２を、切込み線Ｃ３は配線Ｓ１からＳ３までを、切込み線Ｃ４は配線Ｓ１からＳ４までの全てを切断できる位置に設けられている。
【００１４】
ＩＣ１（１０）ではプルダウンされており、共通電源線に接続される配線の切断によりＩＣ１（１０）の電位が安定したＧＮＤレベルになる。尚、図１及び図２では、切込み線が４本の場合について説明しているが、本数は任意であり、用途に応じて適宜変更可能である。また、図１及び図２では、切込み線を切る場合には、切込み線Ｃ１、Ｃ２、Ｃ３、Ｃ４の順番で切込みを入れることを前提として切込み線を配置している。但し、切込み線の配置は任意であり、図１では、共通電源線に接続する前に配線Ｓ１からＳ４までをまとめて共通電源線に接続しているが、共通電源線まで全ての領域で独立した配線にすれば、それぞれの配線を独立して切断できる切込み線を設けることができる。すなわち、それぞれの配線Ｓ１からＳ４までを独立して切断できるように配線Ｓ１からＳ４までを独立に設け、独立に設けられた配線Ｓ１からＳ４までを独立して切込み可能な位置に切込み線を配置しても良い。
【００１５】
図２は、紙、プラスチック等の絶縁体上に構成された、図１のＩＣタグの構造を示す斜視図である。図２に示すように、切込み線Ｃ１〜Ｃ４までは、絶縁性基板９０の上面から下面まで断続的に形成された貫通孔を有しており、これにより、ユーザの意志に基づいて任意の切込み線Ｃ１からＣ４までを切断することができる。
【００１６】
図３は、ＩＣ１（１０）の構成例を示す機能ブロック図である。図３に示すように、ＩＣ１（１０）は、受信信号の一部を、電力に転換する電源回路１（１１）と、タグの外部インタフェースであるアンテナ１に対して信号の受信・送信を行なう送受信回路１２と、エンコードされたデータを変調する変調回路１３と、受信信号を復調する復調回路１４と、送信データのエンコード及び受信データのデコードを行なうエンコード／デコード回路１５と、エンコード／デコード回路１５或いは信号線Ｌ１を介してやり送られてきたデータの処理を行なうデータ処理回路１（１６）と、記憶装置１（１８）と、データ処理回路１（１６）と、記憶装置１（１８）の動作を、タグの状態に応じて制御する制御回路１（１７）と、Ａ１がＡ２から切り離されたか否かを、Ａ１自身が判定するＡ１切り離し判定回路２（１９）と、図２に示す切込み線Ｃ１からＣ４を跨いで共通電源線に接続されている配線（線路）Ｓ１からＳ４に至る端子群と、を含んで構成されている。
【００１７】
図４は、ＩＣ２（２０）の構成例を示す機能ブロック図である。図４に示すように、ＩＣ２（２０）は、受信信号の一部を、電力に変換する電源回路１１と、タグの外部インタフェースであるアンテナ２に対して信号の受信・送信を行なう送受信回路１２と、エンコードされたデータを変調する変調回路１３と、受信信号を復調する復調回路１４と、データのエンコード及びデコードを行なうエンコード／デコード回路１５と、データの処理を行なうデータ処理回路２（２１）と、記憶装置２（２３）と、データ処理回路２（２１）と記憶装置２（２３）との動作をタグの状態に応じて制御する制御回路２（２２）と、Ａ１がＡ２から切り離されたか否かを、Ａ２が判定するＡ１切り離し判定回路１（２４）と、Ａ２がＢから切り離されたか否かを、Ａ２自身が判定するＡ２切り離し判定回路２（１２５）と、を含んで構成されている。
【００１８】
図５は、ＩＣ３（３０）の構成例を示す機能ブロック図である。図５に示すように、ＩＣ３（３０）は、受信信号の一部を、電力に変換する電源回路３（１１）と、タグの外部インタフェースであるアンテナ３に対して信号の受信・送信を行なう送受信回路１２と、エンコードされたデータを変調する変調回路１３と、受信信号を復調する復調回路１４と、データのエンコード及びデコードを行なうエンコード／デコード回路１５と、データの処理を行なうデータ処理回路３（３１）と、記憶装置３（３３）と、データ処理回路３（３１）と記憶装置３（３３）との動作を、タグの状態に応じて制御する制御回路３（３２）と、部分Ａ２がタグ本体Ｂから切り離されたか否かを、タグ本体Ｂが判定するＡ２切り離し判定回路１（３４）と、を有して構成されている。
【００１９】
【表１ａ】
2006119863.tif 000003
【００２０】
【表１ｂ】
2006119863.tif 000004
【００２１】
【表１ｃ】
2006119863.tif 000005
【００２２】
【表１ｄ】
2006119863.tif 000006
【００２３】
図６ａは、ＩＣ２（２０）のＡ１切り離し判定回路１（２４）の構成例を示す機能ブロック図である。図６ａに示すように、Ａ１切り離し判定回路１（２４）は、信号線路Ｌ１の切り離し判定回路１（４０）と、線路ＳＬ２１のインピーダンスの変化を検出するインピーダンス変化検出回路１（５０）とから構成されている。表１ａから表１ｄまでは切り離し判定表である。
【００２４】
信号線路Ｌ１の切り離し判定回路１（４０）は、ＩＣ１（１０）から信号線Ｌ１を介して送られた識別用データと、照合用データ４２との照合を行い、表１ａに示すように信号線Ｌ１を介してＩＣ１から送られた識別用データと照合用データ４２とが一致した場合は、「０」を出力し、識別用データと照合用データ４２とが一致しなかった場合は、「１」を出力する。
【００２５】
同様に線路ＳＬ２１のインピーダンスの変化を検出する「インピーダンス変化検出回路１」５０は、線路ＳＬ２１が、共通ＧＮＤに接地された状態にあるか否かを検出し、表１ａに示すように、線路ＳＬ２１が共通ＧＮＤに接地された状態では「０」を出力し、線路ＳＬ２１が切断され開放状態となった場合には「１」を出力するように構成されている。
そして、Ａ１切り離し判定回路１（２４）は、表１ａに示すように「信号線路Ｌ１の切り離し判定回路１」の出力と、「インピーダンス変化検出回路１」の出力と、の論理積を算出し、この論理積が「１」となった場合に、Ａ１がタグから切り離されたと判定する。
【００２６】
尚、信号線路Ｌ１の切り離し判定は、ＩＣ１（１０）とＩＣ２（２０）とに予め記憶させておいたデータを、それぞれ識別用データと照合用データとして照合する方式を採用しても良いし、ＩＣ２（２０）から信号線路Ｌ１を介して任意の照合用データをＩＣ１（１０）へ送信し、ＩＣ１（１０）が受信した任意の照合用データを識別用データとして返信し、これを「信号線路Ｌ１の切り離し判定回路１」４０において照合する方式を採用しても良い。
【００２７】
また、前記Ａ１切り離し判定回路１（４０）の動作説明においては、「信号線路Ｌ１の切り離し判定回路１」４０の出力と、「インピーダンス変化検出回路１」５０の出力との論理積をＡＮＤ回路５４により算出し、論理積が「１」となった場合に、Ａ１がタグから切り離されたとものと判断しているが、判定方法はこれに限定されるものではない。例えば、「信号線路Ｌ１の切り離し判定回路１」４０の出力と、「インピーダンス変化検出回路１」５０の出力との論理和が「１」となった場合、すなわち信号線路Ｌ１、或いは線路ＳＬ２１のいずれか１つが切断された場合に、部分Ａ１がタグ本体から切り離されたと判定する方式を採用してもよい。この場合にはＡＮＤ回路５４の代わりにＯＲ回路を用いる。
【００２８】
尚、図６ａの線路ＳＬ２１のインピーダンス変化検出装置５０を例に、インピーダンス変化検出装置の動作を説明すると、以下のようになる。ＡＮＤ回路５３においては、２つの入力が共通化されている。Ａ１が切り離し線１で切り離される前には線路ＳＬ２１が切断されておらず、ＡＮＤ回路５３の２つの入力は、ＧＮＤの電位となっている。このため、ＡＮＤ回路５３の２入力は“Ｌｏｗ”となり、ＡＮＤ回路５３の出力は“０”となる。一方、Ａ１が切り離し線１で切り離されると線路ＳＬ２１も切断されるため、ＡＮＤ回路５３の２入力の電位は、Ｒ２×Ｖｃｃ/（Ｒ１＋Ｒ２）の“Ｈｉ”となり、ＡＮＤ回路５３出力は “１”となる。このようにして、インピーダンス変化検出装置５０は、Ａ１が切り離し線１で切り離されることによる、ＳＬ２１のインピーダンスの変化を検出することができる。
【００２９】
他の３つの切り離し判定回路の構成例を、図６ｂ、図６ｃ、及び図６ｄに示すとともに、各切り離し判定回路の切り離し判定表を表１ｂ、表１ｃ、及び表１ｄに示す。尚、上記３つの切り離し判定回の構成、及び動作原理は、基本的にはＡ１切り離し判定回路１（４０）と同じである。
【００３０】
図７ａ、図７ｂ、及び図７ｃは、記憶装置１（１８）、記憶装置２（２３）、及び記憶装置３（３３）の構成例を示す機能ブロック図である。図１のＩＣタグについて、以下の状態にある場合のタグの機能変化と各ＩＣの機能を対応させて表２に示す。
【００３１】
【表２】
2006119863.tif 000007
【００３２】
１）部分Ａ１、部分Ａ２、及び部分Ｂが全て揃っている状態で、タグに、タグを添付する製品等の工場における属性データ、例えば、製品識別コード、製造番号、製造年月日、出荷日時等のデータを入力し、この状態でタグを製品に添付する。２）工場出荷時点で、タグから部分Ａ１を切り離し、販売店へ出荷する。この際、切り離されたＡ１は、出荷元控えとして残す。３）販売店において、販売日時、販売店名等の販売に関する属性データを入力する。その上で、部分Ａ２を切り離し、タグ本体Ｂだけとなったタグの付いた製品を購入者へ渡す。この際、切り離された部分Ａ２は、販売店控えとして残す。４）製品とともに購入者へ渡されたタグ本体Ｂだけのタグは、購入者控えとなる。
【００３３】
このように、商品の流通管理に適用した場合の本実施の形態によるタグの状態変化と、それに伴うタグの機能変化の対応関係の１例を表２に示す。
【００３４】
尚、表２では、第1の機能を実現する制御の全てをＩＣ１が、第２の機能を実現する制御の全てをＩＣ２が、それぞれ司っているが、表３のように第1の機能を実現する制御機能の一部をＩＣ１とＩＣ２が、第２の機能を実現する制御機能の一部をＩＣ２とＩＣ３が、それぞれ分担するようにしてもよい。また、第３の機能である記憶装置３の記憶領域３へのデータの書き込みを、ＩＣ２が阻害するようにしても良い。
【００３５】
【表３】
2006119863.tif 000008
【００３６】
尚、表３のように１つの機能を実現する為の機能を複数のＩＣに分散した場合、切り離す順序を無視した場合、タグが正常に動作しない為、不正使用を抑制できる。
【００３７】
【表４】
2006119863.tif 000009
【００３８】
表４に図１に示すＩＣタグを上記流通管理に適用した場合の、本実施の形態によるタグの状態変化と、それに伴うタグの機能変化の対応関係及び記憶装置１から記憶装置３（符号１８、２３、３３）の各記憶領域に格納された情報と、各記憶領域の状態との関係を示す。表４に示したように、タグの状態変化に応じて、記憶装置１から３の各記憶領域に格納された情報への書き込みが制限される為、情報の改竄に対する耐性が向上する。すなわち、データの読み込みのみが可になることで、データ改竄はできなくなる。
【００３９】
【表５】
2006119863.tif 000010
【００４０】
表５に、図１のＩＣタグを流通管理に適用した場合の、タグ本体から切り離された後の部分Ａ１、部分Ａ２のそれぞれのＩＣタグとしての機能を示す。部分Ａ１、部分Ａ２は、外部インタフェースと、電源回路と、を独立して備えているため、表５に示すように、ＩＣタグとしての独立した機能を備え、それぞれが切り離された後でもデータの管理が可能である。
【００４１】
尚、上記実施の形態においては、タグと外部の情報のやり取りは、電波に代表される無線を用いた非接触型を採用しているが、これに限定されるものではなく、磁気を用いた接触型のデータのやりとりを採用してもよい。
【００４２】
また、ＩＣタグには複数の方式があり、各々データフォーマットが異なっている。図１０に示すように、Auto-IDデータフォーマットでは、９６ビットのＥＰＣコード体系を用い、図１１に示すように、ユビキタスＩＤでは１２８ビットのucodeを用いている。
【００４３】
ここで、図１に示すＩＣタグにおいて、切込み線ｎ（図１ではｎ＝４）のいずれかをカットすると、図３のデータ処理回路１の入力ＳｎがＨ→Ｌに変化し、ＩＣタグ種類設定モードとなる。図３のデータ処理回路１では、Ｓｎの値に応じてＩＣタグの種類を決定し、線路Ｌｎを通してＩＣｎに通知する。ＩＣタグの種類等をどのように変更するかに関しては、例えば図３のデータ処理回路１（１６）において上記入力Ｓｎのいずれかの入力を受けて、記憶回路１（１８）にその入力Ｓｎを伝え、これに対応付けして予め記憶されているプログラムが処理を行うようにすることができる。但し、このプログラムは、極めて簡単なプログラムで良く、例えば、後述する図１０にＡｕｔｏＩＤデータフォーマットや図１１のユビキタスＩＤデータフォーマットに対応した記憶領域に対して流通過程において関係するデータを書き込んでいく機能が行えれば良い。
【００４４】
どの切込み線を切断するかに応じて、設定されるＩＣタグの種別を選択したり動作モードを変更したりすることができる。換言すれば、上記タグの切り離しに伴う機能変更を第１種の機能変更として定義すると、以下に説明する切込み線に応じた変更を第２種機能変更と称することができるこの第２種の機能変更は、タグ切り離し前の機能変更ということもできる。尚、このタグの種別や動作モードの変更の例については、以下に説明する。また、切断する場所によって、タグのモードが変更することも可能である。タグのモードとは、例えば、書き込み回数の制限などの命令に応じて変更されるタグの機能などである。
【００４５】
以下、タグの種別とモードを変更する例について説明する。
例えば、切込み線Ｃ１により配線Ｓ１を切断すると、図１０に示すように、タグの種別としてＡｕｔｏＩＤが選択される。切込み線Ｃ２により配線Ｓ２を切断すると、図１１に示すようにユビキタスＩＤが選択される。切込み線Ｃ３により配線Ｓ３を切断すると、これ以外の新方式が選択される。一方、切込み線Ｃ４により配線Ｓ４を切断すると、書き換え禁止モードを選択することができる。
【００４６】
また、ＩＣにタイマを設けておき、最初に、ある切込み線を切断しタイマにより測定し一定時間後に別の切込み線を切断した場合は、その切断の順番により、ＩＣタグの種別や機能を変化させるようにすることもできる。例えば、Ｓ１切断後、一定時間経過した後にＳ４切断を検出した場合には、ＡｕｔｏＩＤ方式が選択され、かつ、書き換え禁止状態となる。Ｓ２切断検出後に一定時間経過し、次いでＳ３切断検出後に一定時間経過し、次いで、Ｓ４切断検出されると、ユビキタスＩＤのＩＰアドレスモードであって、かつ、書き換え禁止状態となる。このように切断が継続的に行われた場合には、さらに、タグのモードや状態を様々な形式に設定することができる。尚、図１に示す例ではＳ４を切断すると全ての配線が切断されるため、これ以上はタイマによる時間経過を待つ必要がない。
【００４７】
以上のようにして予め、タグのモードや状態を設定した後に、上述のように切離し線を切断していくと、最初に設定されたタグのモードや状態（の種別や機能）が確定し、その後の変更は出来なくなる。このようにすることで、種々のタグの種別やモード、状態を予め設定しておき、その後に切り離し可能なタグの機能に従って流通することになるため、予め他種類のタグを作っておかなくても、１種類のタグを作ることで、多様なタグシステムのいずれかに適用することができるという利点がある。
【００４８】
以上、本実施の形態によるＩＣタグには、切り離し可能部分を切り離すことで、従来の単機能型のＩＣタグにできなかった、機械を使わないＩＣタグの機能変更を容易に実現できる。切り離し可能部分を切り離すことでＩＣタグの機能変更することができるため、切り離し可能部分を切り離すことに起因するＩＣタグの外観を変化させ、ＲＦＩＣタグの状態を目視で把握できる。タグの切り離し状態に応じて、データの入出力制限を設けることで、データの改竄に対するセキュリティを向上させることができる。
【００４９】
また、タグの機能を複数のＩＣに分担させることで、順番に従って切り離し可能部分を切り離さない限り適切な機能変化が生じないようにすることで、セキュリティを向上させることができる。さらに、切り離した切り離し可能部分を、独立したＩＣタグとして使用することができる。
【００５０】
さらに、切り離し可能部分に、タグの種別や状態を予め設定することができる設定手段を設けることにより、使用前の状態でタグの用途や流通過程の違いに応じた設定を行っておくことができ、設計変更の必要がなく他種類の用途や流通過程に対応させることができるという利点がある。すなわち、製品の流通形態や使用条件にあわせた柔軟なタグの使用が可能となる。
【産業上の利用可能性】
【００５１】
本発明は、流通過程で用いられるタグとして利用が可能である。
【図面の簡単な説明】
【００５２】
【図１】本発明の一実施の形態によるＩＣタグ構成例を示す図であり、タグ本体からの切り離し可能部分の数ｎが２、切込み線が４本の場合の図である。
【図２】図１のＩＣタグの立体構造を示す斜視図である。
【図３】ＩＣ１の構成例を示す機能ブロック図である。
【図４】ＩＣ２の構成例を示す機能ブロック図である。
【図５】ＩＣ３の構成例を示す機能ブロック図である。
【図６ａ】Ａ１切り離し判定回路１の構成例を示す機能ブロック図である。
【図６ｂ】Ａ１切り離し判定回路２の構成例を示す機能ブロック図である。
【図６ｃ】Ａ２切り離し判定回路１の構成例を示す機能ブロック図である。
【図６ｄ】Ａ２切り離し判定回路２の構成例を示す機能ブロック図である。
【図７ａ】記憶装置１の構成例を示す機能ブロック図である。
【図７ｂ】記憶装置２の構成例を示す機能ブロック図である。
【図７ｃ】記憶装置３の構成例を示す機能ブロック図である。
【図８】従来のＩＣタグを用いた管理システムの構成例を示す図である。
【図９】従来のＩＣタグの構造を示す斜視図である。
【図１０】ＡｕｔｏＩＤデータフォーマットの構成例を示す図である。
【図１１】ユビキタスＩＤデータフォーマットの構成例を示す図である。
【符号の説明】
【００５３】
Ａ１、Ａ２…ＩＣタグのうち、切り離し可能な部分、Ｂ…非切り離し部分（タグ本体）、１、２、３…アンテナ、１０…ＩＣ１、２０…ＩＣ２、３０…ＩＣ３、Ｌ１、Ｌ２…信号線路、Ｓ１〜Ｓ４…配線、Ｃ１〜Ｃ４…切込み線。
【図１】
2006119863.tif 000011
【図２】
2006119863.tif 000012
【図３】
2006119863.tif 000013
【図４】
2006119863.tif 000014
【図５】
2006119863.tif 000015
【図６ａ】
2006119863.tif 000016
【図６ｂ】
2006119863.tif 000017
【図６ｃ】
2006119863.tif 000018
【図６ｄ】
2006119863.tif 000019
【図７ａ】
2006119863.tif 000020
【図７ｂ】
2006119863.tif 000021
【図７ｃ】
2006119863.tif 000022
【図８】
2006119863.tif 000023
【図９】
2006119863.tif 000024
【図１０】
2006119863.tif 000025
【図１１】
2006119863.tif 000026